(57)【要約】【課題】レリーズタイムラグをモード毎に短縮し、しかも手振れを防止できるカメラを提供する。【解決手段】本実施形態のカメラ２０は、カメラの全機能を制御するマイクロコンピュータ（以下マイコン）などで構成される制御装置１と、撮影を行うためのＳＷでるＲＬ１−ＳＷ２、ＲＬ２−ＳＷ３と、カメラの状態表示を行う表示ユニット４と、シャッタ開閉を行うシャッタユニット５と、フォーカス用のレンズ駆動を行うためのフォーカスユニット６と、測光用ＩＣで構成される測光ユニット７と、被写体との距離を測距し、マイコン１に伝える機能を備えたいわゆるオートフォーカス用ＩＣで構成される測距ユニット８と、被写体の明るさを測光し、マイコンに伝える機能を備えたいわゆる、フィルム給送を行うフィルム給送ユニット９と、撮影モードを選択するためのモードＳＷ１０と、を備えて構成される。【選択図】      図１
2004219775.tif 000002
【特許請求の範囲】
【請求項１】
２段階のスイッチ動作により撮影を行うレリーズスイッチを備え、該レリーズスイッチの第１段階のスイッチ動作により測光、測距及びフォーカスを行い、前記レリーズスイッチの第２段階のスイッチ動作により撮影を行うカメラにおいて、
通常撮影モード及び複数のタイムラグ短縮モードの何れか１つを選択する撮影モードスイッチを備え、該撮影モードスイッチが前記複数のタイムラグ短縮モードの何れか１つを選択した場合、前記レリーズスイッチの第１段階のスイッチ動作により撮影迄の一連の動作をすべて行うように、前記レリーズスイッチの動作を変更することを特徴とするカメラ。
【請求項２】
前記複数のタイムラグ短縮モードは、屋外の撮影を前提としてフォーカスを所定の距離に固定する第１のタイムラグ短縮モードと、屋外の撮影を前提としてフォーカスを無限の距離に固定する第２のタイムラグ短縮モードと、屋内の撮影を前提として測距動作を近距離に固定する第３のタイムラグ短縮モードと、を備えていることを特徴とする請求項１に記載のカメラ。
【請求項３】
前記第１、第２及び第３のタイムラグ短縮モードの何れか１つが選択された場合、バッテリが所定の電圧レベル以上か否かをチェックし、該電圧レベルが所定のレベル以上の場合、選択されたタイムラグ短縮モード状態を所定時間保持することを特徴とする請求項１に記載のカメラ。
【請求項４】
前記バッテリのチェックレベルは、通常撮影前のバッテリチェックレベルより高めの電圧に設定することを特徴とする請求項３に記載のカメラ。
【請求項５】
前記第１、第２及び第３のタイムラグ短縮モードの何れか１つが選択された場合、前記レリーズスイッチの第１段階のスイッチ動作による撮影前のバッテリチェック動作を省略することを特徴とする請求項１に記載のカメラ。
【請求項６】
前記第１及び第２のタイムラグ短縮モードの何れか１つが選択された場合、ストロボ動作を自動的にＯＦＦとすると共に、該ストロボ動作に係わる演算を省略することを特徴とする請求項１に記載のカメラ。
【請求項７】
前記第１及び第２のタイムラグ短縮モードの何れか１つが選択された場合、前記バッテリの電圧レベルが所定のレベル以上であれば測光用ＩＣに電源を供給することにより、前記通常撮影モードに比較して撮影前の測光のための待ち時間を削減し、測光回数を減らすことを特徴とする請求項１に記載のカメラ。
【請求項８】
前記第３のタイムラグ短縮モードが選択された場合、通常の撮影モードより測距動作範囲を減少することにより測距時間を短縮することを特徴とする請求項１に記載のカメラ。
【発明の詳細な説明】
【０００１】
【発明の属する技術分野】
本発明は、カメラに関し、さらに詳しくは、特定モード時の撮影タイムラグの短縮と手ぶれの防止技術に関するものである。
【０００２】
【従来の技術】
従来のカメラは、レリーズボタンを２段階で操作することにより撮影を行うものがほとんどである。つまり、第１段階の半押し状態でバッテリのチェック、測光、測距及びフォーカス等を行い、次の第２段階の全押しで撮影を行うものである。そのため、１回の撮影動作の度に前記の一連の動作を繰り返す、所謂、レリーズタイムラグ（レリーズ操作から撮影が行われるまでの時間）があり、シャッタチャンスを逃す虞があった。また、レリーズボタンを２回押すために手振れ現象が発生する虞があった。さらに前記の一連の動作のためにバッテリの消費量が大きく、バッテリの寿命を短くしていた。
このような課題を解決するために、特開２００１−３１１９７７公報には、電子カメラのレリーズタイムラグを、撮影シーンの選択動作に応じて適切に短縮する技術について開示されている。これによると、想定される撮影シーンが予め定められ、撮影シーンの設定条件に沿って撮像動作または画像処理を実行する電子カメラにおいて、撮影シーンを選択するシーン選択手段と、シーン選択手段により選択された撮影シーンに応じて、設定条件をレリーズ操作前に限定可能なものとそれ以外とに区分し、限定可能な設定条件については、レリーズ操作前に設定条件を限定することによりレリーズタイムラグを短縮するとしている。
【特許文献１】特開２００１−３１１９７７公報
【０００３】
【発明が解決しようとする課題】
特許文献１は、ユーザが選択したシーン毎に、前もって限定条件を設定しておき、それにより、処理の一部を省略し、タイムラグを短縮するものであり、レリーズスイッチは従来と同様に２度押しをしなければならず、手振れを防止することはできないといった問題がある。
本発明は、かかる課題に鑑み、レリーズタイムラグをモード毎に短縮し、しかも手振れを防止できるカメラを提供することを目的する。
【０００４】
【課題を解決するための手段】
本発明はかかる課題を解決するために、請求項１は、２段階のスイッチ動作により撮影を行うレリーズスイッチを備え、該レリーズスイッチの第１段階のスイッチ動作により測光、測距及びフォーカスを行い、前記レリーズスイッチの第２段階のスイッチ動作により撮影を行うカメラにおいて、通常撮影モード及び複数のタイムラグ短縮モードの何れか１つを選択する撮影モードスイッチを備え、該撮影モードスイッチが前記複数のタイムラグ短縮モードの何れか１つを選択した場合、前記レリーズスイッチの第１段階のスイッチ動作により撮影迄の一連の動作をすべて行うように、前記レリーズスイッチの動作を変更することを特徴とする。
本発明の最も大きな特徴は、撮影モードスイッチを備え、そのスイッチの何れか１つが選択されると、その選択されたモードに応じてレリーズスイッチの第１段階のスイッチ動作（半押し）により、撮影迄の一連の動作を短縮動作により全て行うようにした点である。
かかる発明によれば、撮影モードスイッチに応じてタイムラグ短縮モードが選択されてレリーズスイッチの第１段階のスイッチ動作で撮影迄の一連の動作を行うため、レリーズタイムラグを最小にすると共に、手振れ現象を減少することができる。
請求項２は、前記複数のタイムラグ短縮モードは、屋外の撮影を前提としてフォーカスを所定の距離に固定する第１のタイムラグ短縮モードと、屋外の撮影を前提としてフォーカスを無限の距離に固定する第２のタイムラグ短縮モードと、屋内の撮影を前提として測距動作を近距離に固定する第３のタイムラグ短縮モードと、を備えていることを特徴とする。
一般的なタイムラグ短縮モードとしては、屋外における撮影で近距離の撮影、同じく屋外の撮影で遠距離の撮影と屋内における撮影で近距離の撮影がある。屋外での撮影は日中であれば一般的には照度が十分あるので、フラッシュの動作を省略できる。また、フォーカスに関しても所定の距離に固定することも可能である。また、屋内の撮影の場合は、測距動作は所定の距離に限定することができる。
かかる発明によれば、タイムラグ短縮モードを３種類設定可能とすることにより、撮影シーンの選択を容易にすることができる。
【０００５】
請求項３は、前記第１、第２及び第３のタイムラグ短縮モードの何れか１つが選択された場合、バッテリが所定の電圧レベル以上か否かをチェックし、該電圧レベルが所定のレベル以上の場合、選択されたタイムラグ短縮モード状態を所定時間保持することを特徴とする。
まずタイムラグ短縮モードの何れか１つが選択された場合、その状態でしばらくの間撮影をする可能性がある。そこで、バッテリが所定の電圧レベルにあるかをチェックする。その結果所定のレベル以上であれば、このタイムラグ短縮モード状態を所定の時間保持しても、バッテリが正常レベルを維持して動作に支障がないことを確認することができる。
かかる発明によれば、タイムラグ短縮モードの何れか１つが選択された場合、所定の時間その状態を保持するので、利用者の操作性を高めることができる。
請求項４は、前記バッテリのチェックレベルは、通常撮影前のバッテリチェックレベルより高めの電圧に設定することを特徴とする。
タイムラグ短縮モードの何れか１つが選択された場合のバッテリのチェックレベルは通常の撮影モード時のレベルより高く設定しておくことが必要である。その理由は、所定の時間バッテリの状態を保証してタイムラグ短縮モードの動作を確実に行わせるためである。
かかる発明によれば、タイムラグ短縮モード時のバッテリのチェックレベルを通常の撮影モード時のレベルより高く設定するので、所定の時間内の動作を確実に保証することができる。
請求項５は、前記第１、第２及び第３のタイムラグ短縮モードの何れか１つが選択された場合、前記レリーズスイッチの第１段階のスイッチ動作による撮影前のバッテリチェック動作を省略することを特徴とする。
タイムラグ短縮モードの何れか１つが選択されると、まずバッテリチェックを行い、その結果がＯＫにならなければ次の動作に移れない。従って、レリーズスイッチの第１段階のスイッチ動作による再度のバッテリチェックは不要である。かかる発明によれば、撮影前のバッテリチェック動作を省略するので、不要なバッテリチェックを削減でき、レリーズタイムラグを短縮することができる。
【０００６】
請求項６は、前記第１及び第２のタイムラグ短縮モードの何れか１つが選択された場合、ストロボ動作を自動的にＯＦＦとすると共に、該ストロボ動作に係わる演算を省略することを特徴とする。
第１及び第２のタイムラグ短縮モードは、屋外における撮影モードを前提としている。従って、日中であればストロボは不要であるので、自動的にストロボ動作をＯＦＦにして、それに関する演算も省力することができる。
かかる発明によれば、屋外における撮影モードを前提としたタイムラグ短縮モードでストロボ動作を自動的にＯＦＦとするので、不要な動作と不要なバッテリの消耗を防ぐことができる。
請求項７は、前記第１及び第２のタイムラグ短縮モードの何れか１つが選択された場合、前記バッテリの電圧レベルが所定のレベル以上であれば測光用ＩＣに電源を供給することにより、前記通常撮影モードに比較して撮影前の測光のための待ち時間を削減し、測光回数を減らすことを特徴とする。
通常撮影モード時の測光動作は、バッテリチェックがＯＫであれば、測光用ＩＣに電源を供給して所定の待ち時間を置いて複数回測光を行い、その平均値を演算する。そのため、レリーズタイムラグが発生していたが、本発明ではバッテリチェックがＯＫであれば、即座に測光用ＩＣに電源を供給してレリーズスイッチの第１段階のスイッチ動作を待ち、スイッチが押されれば測光を１回のみ行って撮影を開始する。
かかる発明によれば、測光用ＩＣに電源を供給して測光回数を減らすので、通常撮影モードに比較して撮影前の測光のための待ち時間を削減し、レリーズタイムラグを減らすことができる。
請求項８は、前記第３のタイムラグ短縮モードが選択された場合、通常の撮影モードより測距動作範囲を減少することにより測距時間を短縮することを特徴とする。
第３のタイムラグ短縮モードは、屋内の撮影を前提として測距動作を近距離に固定するので、遠距離側からの測距動作を一部省略することができる。つまり短い距離に限定して測距するのでその分測距時間を短縮することが可能となる。
かかる発明によれば、第３のタイムラグ短縮モード時に、測距動作範囲を減少するので、測距を完了する時間を短縮することができ、レリーズタイムラグを減らすことができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係るカメラのブロック図である。本実施形態のカメラ２０は、カメラの全機能を制御するマイクロコンピュータ（以下マイコン）などで構成される制御装置１と、撮影を行うためのＳＷでるＲＬ１−ＳＷ２、ＲＬ２−ＳＷ３と、カメラの状態表示を行う表示ユニット４と、シャッタ開閉を行うシャッタユニット５と、フォーカス用のレンズ駆動を行うためのフォーカスユニット６と、測光用ＩＣで構成される測光ユニット７と、被写体との距離を測距し、マイコン１に伝える機能を備えたいわゆるオートフォーカス用ＩＣで構成される測距ユニット８と、被写体の明るさを測光し、マイコンに伝える機能を備えたいわゆる、フィルム給送を行うフィルム給送ユニット９と、撮影モードを選択するためのモードＳＷ１０と、を備えて構成される。
測距ユニット８の測距情報は、前記マイコン１で各種の演算を行い、被写体距離情報として残されるとともに、フォーカス繰り出しパルス数に変換される。パッシブＡＦ方式を採用し、遠距離側から近距離側までフルレンジでスキャンし、コントラスト不足などで測距出来ない場合は、複数回測距や、補助光の発光などの手段をとる。また、測光ユニット７の測光情報は、前記マイコン１で各種の演算を行い、被写体輝度情報として残されるとともに、シャッタ制御時間、Ｆ値情報などに変換される。測光を行うためには、測光ＩＣの電源ＯＮから、測光ＩＣの出力までに待ち時間（積分時間）を有する（暗いほど長い）また、瞬間的な測光データを採用すると、蛍光灯など周波数をもった光源に対して対応できないため、すべての光源に対応するため、図２（ｂ）のように測光タイミング２７の間に２８のように複数回測光し、平均データを採用して精度を確保している。
ＲＬ１−ＳＷ２、ＲＬ２−ＳＷ３は、撮影を行うためのＳＷで、ＲＬ１−ＳＷ２がＯＮされることにより、バッテリチェックが行われ、結果がＯＫの場合は、測光ＩＣの電源ＯＮ、測光時間待ち、測光（複数回＆平均作業）、測光演算（ストロボ使用判定含む）、測距（フルスキャン）、測距演算、フォーカシングをおこなう。その状態からＲＬ２−ＳＷ３がＯＮされることでシャッタ開閉、フォーカス戻し、フィルム給送、ストロボ充電を行い撮影動作を完了する。またユーザ操作との対応としては、ＲＬ１−ＳＷ２は、レリーズ釦半押し、ＲＬ２−ＳＷ３はレリーズ釦全押し（押し込み）に対応する。
【０００８】
また、シャッタユニット５、フィルム給送ユニット９、表示ユニット４はそれぞれ、シャッタ開閉、フィルム給送、表示を司る。またフォーカスユニット６は、フォーカス用のレンズ駆動を行うための装置で、撮影毎に基準位置から、測距ユニット８で測距された測距情報に基づく演算結果に対応した位置まで駆動されピントを合わせる機能を有する。
シャッタユニット５は、撮影前のバッテリチェック時のダミー負荷としての役割を有しており、ＲＬ１−ＳＷ２がＯＮ（２５）されると、マイコン１により、シャッタ閉じ方向に通電され、その負荷により電池電源が下がったところ２６（下がり安定するまで時間（ｔ）待ちを行い）をマイコンのＡ／Ｄ変換機能を用いて測定することでバッテリチェック機能を実現している。
【０００９】
図３はタイムラグ短縮モードを説明するために比較用として説明するための、通常撮影モードの動作フローチャートである。先ず、ＲＬ１−ＳＷ２がＯＮされると（Ｓ１）、擬似負荷のシャッタに通電してシャッタを閉じる（Ｓ２）。その後３０ｍｓの待ち時間後に（Ｓ３）バッテリチェックを行い（Ｓ４）、バッテリの電圧が所定の電圧以上であるか否かをチェックする（Ｓ５）。チェックの結果電圧レベルが所定のレベル以下の場合は（Ｓ５でＮＧのルート）表示ユニット４にバッテリＮＧの表示をして（Ｓ１８）待機状態（Ｓ１７）に進む。ステップＳ５で電圧レベルが所定のレベル以上の場合は（Ｓ５でＯＫのルート）、測光ＩＣに電源を供給し（Ｓ６）、１００ｍｓ待ち時間後（Ｓ７）、複数回測光ユニット７により測光と測光演算を行い（Ｓ８）、続いて測距ユニット８により測距と測距演算を行い（Ｓ９）、更にストロボ演算（Ｓ１０）とフォーカシングを行う（Ｓ１１）。その後、ＲＬ２−ＳＷ３が押されたか否かをチェックし（Ｓ１２）、ＲＬ２−ＳＷ３が押されなければ（Ｓ１２でＯＦＦのルート）、再度ＲＬ１−ＳＷ２が押されたかをチェックし（Ｓ１９）、押されていなければフォーカスを元に戻して（Ｓ２０）待機状態（Ｓ１７）に進む。ステップＳ１２でＲＬ２−ＳＷ３が押されていれば（Ｓ１２でＯＮのルート）、シャッタを開閉し必要に応じてストロボを発光し（Ｓ１３）、フォーカスを戻して（Ｓ１４）、フィルムを給送して（Ｓ１５）必要に応じてストロボを充電して（Ｓ１６）待機状態（Ｓ１７）に進む。
【００１０】
図４は本発明のタイムラグ短縮モード１、２の場合の動作フローチャートである。ここで、タイムラグ短縮モード１、２の違いはステップＳ３２でフォーカス駆動の距離をタイムラグ短縮モード１の場合は２ｍに固定し、タイムラグ短縮モード２の場合は無限大に固定される点であり、その他の動作は同じである。ここでは、タイムラグ短縮モード１の場合について説明する。まず待機状態（Ｓ２５）からモードスイッチ１０がＯＮされると（Ｓ２６）、擬似負荷のシャッタに通電してシャッタを閉じ（Ｓ２７）、３０ｍｓ後に（Ｓ２８）バッテリチェックを行う（Ｓ２９）。そしてバッテリの電圧が所定の電圧レベル以上かをチェックし（この場合の所定の電圧レベルは、図３の通常モードの電圧レベルより高く設定される）（Ｓ３０）、チェックの結果電圧レベルが所定のレベル以下の場合は（Ｓ３８でＮＧのルート）表示ユニット４にバッテリＮＧの表示をして（Ｓ３８）ステップＳ２６に進む。ステップＳ３０で電圧レベルが所定のレベル以上の場合は（Ｓ３０でＯＫのルート）、測光ＩＣに電源を供給し（Ｓ３１）、フォーカスを２ｍに固定して（Ｓ３２）、５分タイマをスタートする（Ｓ３３）。その後各種スイッチを判定し（Ｓ３４）、何のスイッチも押されなければ（Ｓ３４でＳＷＯＮ無しのルート）５分タイマが経過したかをチェックし（Ｓ３５）超過していなければ（Ｓ３５で未のルート）ステップＳ２６に戻って繰り返し、超過してれば（Ｓ３５で過ぎのルート）フォーカスを戻し（Ｓ３６）、測光ＩＣの電源をＯＦＦして（Ｓ３７）ステップＳ２６に戻って繰り返す。ステップＳ３４でＲＬ１−ＳＷ２が押された場合（Ｓ３４でＲＬ１ＯＮのルート）、タイムラグ短縮モード１、ＲＬ１ＯＮとなり（Ｓ３９）、１回の測光と測光演算を行い（Ｓ４０）、シャッタを開閉して（Ｓ４１）フィルム給送して（Ｓ４２）ステップＳ３５の５分タイマの監視に進む。
【００１１】
図５は本発明のタイムラグ短縮モード３の場合の動作フローチャートである。まず待機状態（Ｓ５０）からモードスイッチ１０がＯＮされると（Ｓ５１）、擬似負荷のシャッタに通電してシャッタを閉じ（Ｓ５２）、３０ｍｓ後に（Ｓ５３）バッテリチェックを行う（Ｓ５４）。そしてバッテリの電圧が所定の電圧レベル以上かをチェックし（この場合の所定の電圧レベルは、図３の通常モードの電圧レベルより高く設定される）（Ｓ５５）、チェックの結果電圧レベルが所定のレベル以下の場合は（Ｓ５５でＮＧのルート）表示ユニット４にバッテリＮＧの表示をして（Ｓ６１）ステップＳ５１に進む。ステップＳ５５で電圧レベルが所定のレベル以上の場合は（Ｓ５５でＯＫのルート）、測光ＩＣに電源を供給し（Ｓ５６）、５分タイマをスタートする（Ｓ５７）。その後各種スイッチを判定し（Ｓ５８）、何のスイッチも押されなければ（Ｓ５８でＳＷＯＮ無しのルート）５分タイマが経過したかをチェックし（Ｓ５９）超過していなければ（Ｓ５９で未のルート）ステップＳ５１に戻って繰り返し、超過してれば（Ｓ５９で過ぎのルート）測光ＩＣの電源をＯＦＦして（Ｓ６０）ステップＳ５１に戻って繰り返す。ステップＳ５８でＲＬ１−ＳＷ２が押された場合（Ｓ５８でＲＬ１ＯＮのルート）、タイムラグ短縮モード１、ＲＬ１ＯＮとなり（Ｓ６２）、複数回の測光と測光演算を行い（Ｓ６３）、ストロボ演算を行い（Ｓ６４）、フォーカシングを行い（Ｓ６５）シャッタを開閉して（Ｓ６６）フォーカスを戻し（Ｓ６７）フィルム給送して（Ｓ６８）ストロボを充電して（Ｓ６９）ステップＳ５９の５分タイマの監視に進む。
【００１２】
このように、モードＳＷ１０は、撮影モードを選択するためのＳＷで本発明では、通常モードと、タイムラグ短縮モード１、タイムラグ短縮モード２、タイムラグ短縮モード３の選択が可能な構成となっている。タイムラグ短縮モード１が、選択されると、測光ＩＣの電源がＯＮされ、バッテリチェック動作が行われ、バッテリチェックの結果がＯＫの場合は、フォーカスが駆動され、２ｍの位置に固定される。ＬＣＤ表示はＳＮＡＰ表示がなされる。このモードでは、ストロボＯＦＦモードが自動設定される。このモードで、ＲＬ１−ＳＷ２が押されると、バッテリチェックは、スキップされる。測光に関しては、あらかじめＩＣの電源が入れられているため、待ち時間は０となる。ＳＮＡＰモードで室外での撮影を前提とするため、測光回数も１回とする。またフォーカシングは既に行われており測距もスキップされる。ストロボもＯＦＦモードになるため、ストロボ関係の演算もスキップされる。ここでシャッタを開閉し、給送を行って撮影が終了する。
すなわちＲＬ１−ＳＷ２（シャッタ釦半押し）のみで、撮影まで最低限のタイムラグで終了する。しかもシャッタ釦の押し込みを行わないため、カメラぶれも最小限に押さえることができる。
また、タイムラグ短縮モード２が選択されると、バッテリチェック動作が行われ、ＯＫの場合は、フォーカスが駆動され、ＩＮＦ（無限）の位置に固定される。ＬＣＤ表示は遠景表示がなされる。このモードでは、ストロボＯＦＦモードが自動設定される。以下の動作は同様である。
また、タイムラグ短縮モード３が選択されると、バッテリチェック動作が行われる。このモードで、ＲＬ１−ＳＷ２が押されると、バッテリチェックは、スキップされる。測光に関しては、あらかじめＩＣの電源が入れられているため、待ち時間は０となる。また室内での撮影を前提とするため、測光回数は通常通り複数回とする。測距動作は、３ｍまでの近距離限定で、遠距離側からのスキャンニングを一部省略する。またストロボは通常通り、常時充電されているタイプであり原則的には撮影時に充電が完了しているものとする。そして測光の結果暗いと判断されれば、通常通りストロボ使用判断、演算を行い、測距結果に基づく繰り出しを行ったあとで、シャッタ開閉（必要に応じてストロボ発光）レンズ戻し、フィルム給送、ストロボ充電を行い撮影を終了する。
すなわちＲＬ１−ＳＷ２（シャッタ釦半押し）のみで、撮影までを出来る限り最低限のタイムラグで終了する。しかもシャッタ釦の押し込みを行わないため、カメラぶれも最小限に押さえることができる。
【００１３】
また、いずれのモードにおいても、モードは設定された時から５分間で解除され、フォーカスが駆動している場合は、元に戻り、各種表示も元にもどされる。なわち、モード設定時のバッテリチェックにより、その時間内のバッテリの状態を保証するためのもので、そのため通常のバッテリチェックレベルより高いレベルにＯＫレベルが設定されている。従って、モード設定時のバッテリチェックでＮＧとなり、タイムラグ短縮モードは設定出来なくても、通常の撮影を行うことができることもあり得る構成としている。
またタイムラグ短縮モード１、２はフォーカスを固定し、ストロボを禁止するものの、撮影シーンを限定するものではなく、その仕様を前提に撮影できるものを撮影するためのモードであり、タイムラグの短縮を主眼としてる。
タイムラグ短縮モード３は、タイムラグ短縮モード１、２で撮影出来ない被写体を撮影するためのモードである。これらの他にも、撮影時に、モードにより撮影時のオペレーションの一部を一部キャンセルすることで、実施形態以外の他の撮影モードを作成することも可能である。
また、本発明は、特に追加部品を使用せず、従来のカメラシステムのなかで制御用ソフトウエアの変更のみで実現が可能であり、従来最低でも５００ｍＳ程度かかっていたタイムラグを、１００ｍＳ以下にすることが可能であるとともに、カメラぶれの防止にも有効である。
【００１４】
【発明の効果】
以上記載のごとく請求項１の発明によれば、撮影モードスイッチに応じてタイムラグ短縮モードが選択されてレリーズスイッチの第１段階のスイッチ動作で撮影迄の一連の動作を行うため、レリーズタイムラグを最小にすると共に、手振れ現象を減少することができる。
また請求項２では、タイムラグ短縮モードを３種類設定可能とすることにより、撮影シーンの選択を容易にすることができる。
また請求項３では、タイムラグ短縮モードの何れか１つが選択された場合、所定の時間その状態を保持するので、利用者の操作性を高めることができる。
また請求項４では、タイムラグ短縮モード時のバッテリのチェックレベルを通常の撮影モード時のレベルより高く設定するので、所定の時間内の動作を確実に保証することができる。
また請求項５では、撮影前のバッテリチェック動作を省略するので、不要なバッテリチェックを削減でき、レリーズタイムラグを短縮することができる。
また請求項６では、屋外における撮影モードを前提としたタイムラグ短縮モードでストロボ動作を自動的にＯＦＦとするので、不要な動作と不要なバッテリの消耗を防ぐことができる。
また請求項７では、測光用ＩＣに電源を供給して測光回数を減らすので、通常撮影モードに比較して撮影前の測光のための待ち時間を削減し、レリーズタイムラグを減らすことができる。
また請求項８では、第３のタイムラグ短縮モード時に、測距動作範囲を減少するので、測距を完了する時間を短縮することができ、レリーズタイムラグを減らすことができる。
【図面の簡単な説明】
【図１】本発明の実施形態に係るカメラのブロック図である。
【図２】（ａ）は本発明のバッテリチェックのタイミングチャート、（ｂ）は測光タイミングチャートである。
【図３】本発明のタイムラグ短縮モードを説明するために比較用として説明するための、通常撮影モードの動作フローチャートである。
【図４】本発明のタイムラグ短縮モード１、２の場合の動作フローチャートである。
【図５】本発明のタイムラグ短縮モード３の場合の動作フローチャートである。
【符号の説明】
１  制御装置、２  ＲＬ１−ＳＷ、３  ＲＬ２−ＳＷ、４  表示ユニット、５シャッタユニット、６  フォーカスユニット、７  測光ユニット、８  測距ユニット、９  フィルム給送ユニット、１０  モードＳＷ、２０  カメラ
【図１】
2004219775.tif 000003
【図２】
2004219775.tif 000004
【図３】
2004219775.tif 000005
【図４】
2004219775.tif 000006
【図５】
2004219775.tif 000007